(57)【特許請求の範囲】
【請求項１】
フィルム保持供給機構（２０）を有したフィルム供給装置であって、前記フィルム保持供給機構（２０）が、フィルム待機位置に一のフィルムを挟持するフィルム挟持部（３２）と、前記フィルム挟持部（３２）による挟持状態を解除して前記フィルム待機位置からフィルム供給位置に前記一のフィルムを移動させるフィルム移動手段（３３）と、前記フィルム移動手段（３３）との間で前記一のフィルムを挟持して搬送させる駆動手段（３４）とを備え、前記一のフィルムの所定部分を搬送させた後には、前記フィルム移動手段（３３）が前記フィルム待機位置に復帰可能であるように構成されており、前記フィルム移動手段（３３）が前記フィルム待機位置に復帰した後に、前記フィルム待機位置において前記フィルム挟持部（３２）を用いて他のフィルムが挟持されて待機状態となることを特徴とするフィルム供給装置。
【請求項２】
前記フィルム挟持部（３２）と共に機能して前記フィルム待機位置にフィルムを保持するフィルム保持手段（４０）と、前記フィルム供給位置における前記フィルムを支持するフィルム供給ローラ部（５０）とを有し、前記フィルム移動手段（３３）を用いて前記フィルムを移動させる際に、前記フィルム保持手段（４０）から前記フィルム供給ローラ部（５０）に対して前記フィルムが移動しやすいような角度に傾けて、前記フィルム保持手段（４０）が設けられている請求項１に記載のフィルム供給装置。
【請求項３】
前記フィルム保持供給機構（２０）の後流側にフィルムマスク（１０）を有したフィルム供給装置であって、前記フィルムマスク（１０）が、前記フィルム保持供給機構（２０）から供給されたフィルムを挟持して搬送させる搬送ローラ部（１１）を有しており、前記搬送ローラ部（１１）で前記フィルムを挟持した後に、前記フィルム移動手段（３３）が前記フィルム待機位置に復帰可能である請求項１または２に記載のフィルム供給装置。
【請求項４】
フィルム保持供給機構（６０）を有したフィルム供給装置であって、前記フィルム保持供給機構（６０）が、フィルム待機位置に一のフィルムを保持するフィルム保持部と、前記フィルム保持部による保持状態を解除して前記フィルム待機位置からフィルム供給位置に前記一のフィルムを移動させる移動手段と、前記フィルム供給位置にて前記一のフィルムを搬送させる駆動手段（７０）とを備え、前記一のフィルムの所定部分を搬送させた後には、前記移動手段が前記フィルム待機位置に復帰可能であるように構成されており、前記移動手段が前記フィルム待機位置に復帰した後に、前記フィルム待機位置において前記フィルム保持部を用いて他のフィルムが挟持されて待機状態となることを特徴とするフィルム供給装置。
【請求項５】
前記フィルム保持部が、前記一のフィルムの上面側に位置する切換ガイド部（６２）と、前記一のフィルムの下面側に位置する開閉ガイド部（６３）とを用いて構成され、前記切換ガイド部（６２）が下方向に移動する際には前記開閉ガイド部（６３）は開放方向に作動し、前記切換ガイド部（６２）が上方向に移動する際には前記開閉ガイド部（６３）は閉止方向に作動すべく構成されており、前記フィルム待機位置においては、前記一のフィルムが前記切換ガイド部（６２）と前記開閉ガイド部（６３）とを用いて挟持されており、前記一のフィルムを前記フィルム供給位置に移動させる際には、前記切換ガイド部（６２）が下方向に移動することによって前記移動手段として機能し、前記切換ガイド部（６２）と前記駆動手段（７０）とを用いて前記一のフィルムの所定部分を搬送させた後には、前記切換ガイド部（６２）が上方向に移動することによって、前記切換ガイド部（６２）および前記開閉ガイド部（６３）が前記フィルム待機位置に復帰可能である請求項４に記載のフィルム供給装置。
【請求項６】
前記フィルム保持部と共に機能して前記フィルム待機位置にフィルムを保持するフック部（６１）を有し、前記一のフィルムを前記フィルム待機位置から前記フィルム供給位置に移動させる際に、前記一のフィルムに対する前記フック部（６１）の保持状態を解除すべく、前記フック部（６１）が回転駆動する請求項４または５に記載のフィルム供給装置。
【請求項７】
前記フィルム保持部と前記フック部（６１）とがリンクして駆動する請求項６に記載のフィルム供給装置。
【請求項８】
前記フィルム保持供給機構（６０）の後流側にフィルムマスクを有したフィルム供給装置であって、前記フィルムマスクが、前記フィルム保持供給機構（６０）から供給されたフィルムを挟持して搬送させる搬送ローラ部を有しており、前記搬送ローラ部で前記フィルムを挟持した後に、前記移動手段としての前記切換ガイド部（６２）が前記フィルム待機位置に復帰可能である請求項４から７のいずれか１項に記載のフィルム供給装置。
【請求項９】
前記フィルム待機位置の略直下に前記フィルム供給位置が存在する請求項１から８のいずれか１項に記載のフィルム供給装置。
【発明の詳細な説明】
【０００１】
【発明の属する技術分野】
本発明は、フィルム供給装置に関し、詳しくは、簡単な構成によってフィルムの自動供給を実現するフィルム供給装置に関するものである。
【０００２】
【従来の技術】
従来技術に係るフィルム供給装置は、一般に、フィルムを一本ずつ搬送処理するように構成されている（以下、この技術を「第一の従来技術」という。）。したがって、この第一の従来技術においては、オペレータが複数のフィルムの処理を行う際には、一のフィルムをフィルム供給装置に挿入し、この一のフィルムに関する処理が終了した後に、再び、他のフィルムをフィルムキャリアに挿入するという作業を繰り返す必要がある。
【０００３】
また、他の従来技術に係るフィルム供給装置としては、特開平４−２５４８４５号公報で開示されているように、大量のフィルムを連続して処理する技術が知られている（以下、この技術を「第二の従来技術」という。）。
【０００４】
【発明が解決しようとする課題】
しかしながら、上記従来技術においては、以下のような問題があった。
【０００５】
まず、第一の従来技術によれば、オペレータは、一のフィルムの処理中においては、そのフィルムおよび他のフィルムに対する種々の作業（スキャナの判定像の確認、処理が終了したフィルムの袋詰め等）を行う必要があるので、一のフィルムに関する処理の終了を待ち構えて、終了後即座に、次のフィルムのセット等を行うことはできない。また、一のフィルムの処理中において、次のフィルムをセットしたい場合であっても、現在処理中のフィルムの処理が終了するまでは、次のフィルムをセットすることはできない。
したがって、第一の従来技術によれば、一のフィルムに関する処理の終了後から、次のフィルム（他のフィルム）をセットして処理を開始するまでには、ある程度の時間がかかり、その間は写真処理装置（を構成するプリンタやスキャナ等）を停止させざるを得ないので、写真処理装置の能力が十分に発揮されないという問題があった。
【０００６】
また、第二の従来技術によれば、このような大量処理を行うフィルム供給装置は、その構造が複雑且つ大型であるため、高価であると共に、広いスペースを必要とし、一般的ではない（一般のＤＰＥ店では実用的ではない）という問題があった。さらに、この第二の従来技術によれば、フィルム同士が擦れあって傷がついてしまうという問題や、重ねてセットしているため、処理中のフィルムがなくなるまで次のフィルムをセットできないという問題があった。
【０００７】
そこで、本発明は上記従来技術の問題点を解決するためになされたものであって、一のフィルムが処理中のときに次のフィルムが待機状態で保持され、一のフィルムに対する処理が終了した後には自動的に次のフィルムの処理が開始されるフィルム供給装置を、比較的簡単な構成で実現して提供することを課題とする。
【０００８】
【課題を解決するための手段】
すなわち、上記課題を解決するための本発明は、フィルム保持供給機構２０を有したフィルム供給装置であって、前記フィルム保持供給機構２０が、フィルム待機位置に一のフィルムを挟持するフィルム挟持部３２と、前記フィルム挟持部３２による挟持状態を解除して前記フィルム待機位置からフィルム供給位置に前記一のフィルムを移動させるフィルム移動手段３３と、前記フィルム移動手段３３との間で前記一のフィルムを挟持して搬送させる駆動手段３４とを備え、前記一のフィルムの所定部分を搬送させた後には、前記フィルム移動手段３３が前記フィルム待機位置に復帰可能であるように構成されており、前記フィルム移動手段３３が前記フィルム待機位置に復帰した後に、前記フィルム待機位置において前記フィルム挟持部３２を用いて他のフィルムが挟持されて待機状態となることを特徴としている。ここで、駆動手段３４としては、モータ等を介して回転可能であるように構成されたローラ部等が用いられる。
【０００９】
本発明に係るフィルム供給装置によれば、前記フィルム移動手段３３が、適宜（前記一のフィルムの搬送状況に応じて）、前記フィルム待機位置と前記フィルム供給位置とを回動可能であって、前記フィルム移動手段３３が前記フィルム待機位置にあるときには前記フィルム挟持部３２を用いてフィルムを待機状態とし得るように構成されている。したがって、本発明によれば、前記一のフィルムが処理中のときに前記他のフィルムが待機状態で保持され、前記一のフィルムに対する処理が終了した後には自動的に前記他のフィルムの処理が開始されるフィルム供給装置を得ることができる。
【００１０】
また、本発明に係るフィルム供給装置においては、前記フィルム挟持部３２と共に機能して前記フィルム待機位置にフィルムを保持するフィルム保持手段４０と、前記フィルム供給位置における前記フィルムを支持するフィルム供給ローラ部５０とを有し、前記フィルム移動手段３３を用いて前記フィルムを移動させる際に、前記フィルム保持手段４０から前記フィルム供給ローラ部５０に対して前記フィルムが移動しやすいような角度に傾けて、前記フィルム保持手段４０が設けられた構成であることが好ましい。
【００１１】
この好ましい構成によれば、前記フィルム待機位置における前記フィルムの保持を簡単に行うことが可能であって、また、前記フィルムを容易に前記フィルム待機位置から前記フィルム供給位置に移動させることが可能であるフィルム供給装置を得ることができる。
【００１２】
また、本発明に係るフィルム供給装置においては、前記フィルム保持供給機構２０の後流側にフィルムマスク１０を有したフィルム供給装置であって、前記フィルムマスク１０が、前記フィルム保持供給機構２０から供給されたフィルムを挟持して搬送させる搬送ローラ部１１を有しており、前記搬送ローラ部１１で前記フィルムを挟持した後に、前記フィルム移動手段３３が前記フィルム待機位置に復帰可能であるように構成されたことが好ましい。
【００１３】
さらに、上記課題を解決するための本発明は、フィルム保持供給機構６０を有したフィルム供給装置であって、前記フィルム保持供給機構６０が、フィルム待機位置に一のフィルムを保持するフィルム保持部と、前記フィルム保持部による保持状態を解除して前記フィルム待機位置からフィルム供給位置に前記一のフィルムを移動させる移動手段と、前記フィルム供給位置にて前記一のフィルムを搬送させる駆動手段７０とを備え、前記一のフィルムの所定部分を搬送させた後には、前記移動手段が前記フィルム待機位置に復帰可能であるように構成されており、前記移動手段が前記フィルム待機位置に復帰した後に、前記フィルム待機位置において前記フィルム保持部を用いて他のフィルムが挟持されて待機状態となることを特徴としている。
【００１４】
また、本発明に係るフィルム供給装置においては、前記フィルム保持部が、前記一のフィルムの上面側に位置する切換ガイド部６２と、前記一のフィルムの下面側に位置する開閉ガイド部６３とを用いて構成され、前記切換ガイド部６２が下方向に移動する際には前記開閉ガイド部６３は開放方向に作動し、前記切換ガイド部６２が上方向に移動する際には前記開閉ガイド部６３は閉止方向に作動すべく構成されており、前記フィルム待機位置においては、前記一のフィルムが前記切換ガイド部６２と前記開閉ガイド部６３とを用いて挟持されており、前記一のフィルムを前記フィルム供給位置に移動させる際には、前記切換ガイド部６２が下方向に移動することによって前記移動手段として機能し、前記切換ガイド部６２と駆動手段７０とを用いて前記一のフィルムの所定部分を搬送させた後には、前記切換ガイド部６２が上方向に移動することによって、前記切換ガイド部６２および前記開閉ガイド部６３が前記フィルム待機位置に復帰可能である構成が好ましい。
【００１５】
また、本発明に係るフィルム供給装置においては、前記フィルム保持部と共に機能して前記フィルム待機位置にフィルムを保持するフック部６１を有し、前記一のフィルムを前記フィルム待機位置から前記フィルム供給位置に移動させる際に、前記一のフィルムに対する前記フック部６１の保持状態を解除すべく、前記フック部６１が回転駆動する構成が好ましい。
【００１６】
また、本発明に係るフィルム供給装置においては、前記フィルム保持部と前記フック部６１とがリンクして駆動する構成が好ましい。
この好ましい構成によれば、前記フィルム保持部と前記フック部６１とがリンクして作動することにより、前記フィルム待機位置から前記フィルム供給位置に対して、前記一のフィルムをスムーズに移動させることが可能となる。
【００１７】
また、本発明に係るフィルム供給装置においては、前記フィルム保持供給機構６０の後流側にフィルムマスクを有したフィルム供給装置であって、前記フィルムマスクが、前記フィルム保持供給機構６０から供給されたフィルムを挟持して搬送させる搬送ローラ部を有しており、前記搬送ローラ部で前記フィルムを挟持した後に、前記移動手段としての前記切換ガイド部６２が前記フィルム待機位置に復帰可能である構成が好ましい。
【００１８】
また、本発明に係るフィルム供給装置においては、前記フィルム待機位置の略直下に前記フィルム供給位置が存在する構成が好ましい。
この好ましい構成によれば、比較的狭いスペースにて装置を実現可能であると共に、簡単な機構にて（前記フィルム移動手段および前記切換ガイド部６２の上下方向の機構等にて）、前記一のフィルムを前記フィルム待機位置から前記フィルム供給位置に移動させることが可能となる。
【００１９】
【発明の実施の形態】
以下、図面に基づいて、本発明の実施の形態を説明する。
【００２０】
図１は、本発明の実施形態に係るフィルム供給装置を構成するフィルム保持供給機構の概略斜視図を示したものである。また、図２および図３は、本実施形態に係るフィルム供給装置の概略断面図を示したものである。図２は、フィルム保持供給機構を構成するフィルム移動手段がフィルム待機位置にある状態を示し、図３は、フィルム移動手段がフィルム供給位置にある状態を示している。
【００２１】
図１〜図３において、本実施形態に係るフィルム供給装置は、フィルムマスク１０と、フィルム保持供給機構２０等とを用いて構成されている。そして、フィルム保持供給機構２０は、フィルム保持供給機構本体部（以下、単に「本体部」という。）３０と、フィルム保持手段４０と、フィルム供給ローラ部５０とを用いて構成されている。
【００２２】
フィルムマスク１０は、搬送ローラ部１１と、センサ部１２等とを用いて構成されている。搬送ローラ部１１は、上部ローラ１１ａと下部ローラ１１ｂとから成る一組のローラ対を用いて構成されており、少なくともどちらか一方のローラが、写真処理装置内にフィルムを搬送可能であるように、駆動し得る構成となっている。また、センサ部１２は、フィルムマスク１０内におけるフィルムの位置を検知するために設けられており、このセンサ部１２からの信号に基づいて、搬送ローラ部１１、およびフィルム供給装置を構成する他の要素の駆動制御が行われる（詳細は後述する。）。
【００２３】
フィルム保持供給機構２０は、上述したように、本体部３０と、フィルム保持手段４０と、フィルム供給ローラ部５０とを用いて構成されている。
【００２４】
本体部３０は、本体ケーシング３１と、この本体ケーシング３１の内壁に設けられたフィルム挟持部３２と、このフィルム挟持部３２を用いてフィルム待機位置に挟持されたフィルムＦ（図１において実線で示したフィルムＦ）を、フィルム供給位置（図１において仮想線（二点鎖線）で示したフィルムＦのある位置）に移動可能であるように設けられたフィルム移動手段３３と、このフィルム移動手段３３に設けられたローラ部３３ｂとの間でフィルムＦを挟持して、フィルムＦの供給を行う駆動手段たる駆動ローラ３４と、フィルムＦ等の検知を行うセンサ部３５と、フィルムＦの供給を行う際のフィルム搬送路３６等とを用いて構成されている。
【００２５】
フィルム挟持部３２は、フィルム挟持部３２のみによって、または、フィルム挟持部３２と（フィルム待機位置にある）フィルム移動手段４０とによって、フィルム待機位置のフィルムＦを適当に挟持可能であるように構成されている。また、このフィルム挟持部３２は、フィルムＦ（に形成された画像）の損傷等を防止するために、フィルムＦの両側部を挟持するように構成されている。
【００２６】
フィルム移動手段３３は、移動手段本体部３３ａと、この移動手段本体部３３ａの下側の先端部近傍に軸３３ｃを用いて設けられたローラ部３３ｂとを用いて構成されている。そして、このフィルム移動手段３３は、回動軸３７を用いて本体ケーシング３１等に支持されており、フィルム待機位置（図２参照）とフィルム供給位置（図３参照）との間を回動可能であるように、構成されている。
【００２７】
フィルム保持手段４０は、フィルムＦが本体部３０に挿入された状態であって、フィルム移動手段３３がフィルム待機位置にある場合においては、フィルムＦを保持可能であるように構成されている。そして、フィルム保持手段４０は、フィルム移動手段３３をフィルム供給位置に移動させた場合においては（フィルムＦをフィルム供給可能である位置に移動させた場合においては）、フィルムＦがフィルム保持手段４０から容易に離脱可能であるように構成されている。例えば、フィルム保持手段４０は、図４に示すように構成されている。
【００２８】
図４は、図１のＩＶ方向から見たフィルム保持手段の側面図を示したものである。図４においては、フィルム保持手段４０で保持されたフィルムＦを仮想線（二点鎖線）で示している。図４に示されたフィルム保持手段４０は、保持手段本体部たるガイドローラ４１と、このガイドローラ４１の先端部に設けられた掛止部４２とを用いて構成されている。掛止部４２としては、例えば、ゴム、あるいはシリコン樹脂等から成るＯリング状の部材等が用いられる。また、ここで、フィルム保持手段４０（ガイドローラ４１）は、水平方向に対して任意の角度αだけ傾けて設けられている。
【００２９】
このように構成されたフィルム保持手段４０においては、フィルムＦがフィルム待機位置にある場合には（フィルムＦが静止している場合には）、掛止部４２によって、フィルムＦはガイドローラ４１上に保持されることとなる。そして、フィルム移動手段３３を用いてフィルム供給位置にまでフィルムＦが移動させられた場合には（フィルムＦが可動している場合には）、フィルムＦはガイドローラ４１上においても移動することとなる。つまり、フィルムＦは、ガイドローラ４１の傾く方向に移動して、フィルム保持手段４０から離れ、フィルム供給ローラ部５０に移動することとなる。すなわち、フィルムＦは、フィルム保持手段４０上でまず矢印Ｘ方向に移動して、その後は（フィルム保持手段４０から離れた後は）、自由落下に任せて矢印Ｙ方向に移動して、フィルム供給ローラ部５０上に移ることとなる。
【００３０】
フィルム供給ローラ部５０は、フィルム保持手段４０から落下するフィルムＦを保持可能な位置に設けられたものであって、フィルム供給の際に、フィルムＦの後端側を支持する機能を有するものである。このフィルム供給ローラ部５０は、フィルムＦの供給の際に、フィルムＦに余計な摩擦等が作用しないように、その内部にベアリング等が設けられ、フィルム供給ローラ部５０の表面部分が自由に回転可能であるように構成されている。
【００３１】
図５は、上述した本実施形態に係るフィルム供給装置の作動状態を示した断面図である。以下、この図５および図１〜図４を用いて、本実施形態に係るフィルム供給装置の作動状態を詳細に説明する。
【００３２】
図５（イ）は、処理開始時において、第一のフィルムＦ１  がフィルム待機位置にセットされた状態を示している。この状態においては、第一のフィルムＦ１  の先端部がフィルム挟持部３２に挟持され、第一のフィルムＦ１  の後端側がフィルム保持手段４０で保持されている。
そして、フィルムマスク１０内のセンサ部（以下、「第一のセンサ部」という。）１２を用いて、フィルムマスク１０内におけるフィルムの有無等を検知し、フィルムマスク１０内へのフィルムの供給が可能である場合には、その旨の信号（以下、「供給可能信号」という。）が第一のセンサ部１２からフィルム移動手段３３に送られる。また、本体部３０内に設けられたセンサ部（以下、「第二のセンサ部」という。）３５は、本体部３０内にフィルムが挿入されているか否か（フィルム挟持部３２でフィルムが挟持されているか否か）を検知し、フィルムが挟持されている場合には、その旨の信号（以下、「挟持信号」という。）が第二のセンサ部１２からフィルム移動手段３３に送られる。
供給可能信号および挟持信号を受けたフィルム移動手段３３は、第一のフィルムＦ１  をフィルム供給位置に移動させるべく、フィルム搬送路３６側に回動させられる。このようにして、フィルム供給位置にフィルム移動手段３３を回動させた状態を示しているのが、図５（ロ）である。
【００３３】
図５（ロ）は、第一のフィルムＦ１  がフィルム供給位置にセットされた状態を示している。図５（イ）の状態から、フィルム搬送路３６側にフィルム移動手段３３を回動させると、フィルム移動手段３３によって第一のフィルムＦ１  はフィルム搬送路３６側に押さえ込まれ、これに伴って、フィルム保持手段４０に保持された第一のフィルムＦ１  の後端側は、フィルム保持手段４０から矢印Ｚ方向に引っ張られて滑り落ち、フィルム供給ローラ部５０に支持されることとなる。そして、第一のフィルムＦ１  は、ローラ部３３ｂと駆動ローラ３４との間で挟持されることとなる。
第一のフィルムＦ１  は、駆動ローラ３４をフィルム供給方向（図面の左側方向）に回転させることによって、本体部３０からフィルムマスク１０内に供給されることとなる。第一のフィルムＦ１  の後端側は、フィルム供給ローラ部５０を介して、随時本体部３０内に搬送されることとなる。また、第一のフィルムＦ１  は、フィルムマスク１０内の搬送ローラ部１１で挟持されるまでは、ローラ部３３ｂと駆動ローラ３４とを用いて搬送される。そして、搬送ローラ部１１に挟持された後は、フィルム移動手段３３（ローラ部３３ｂ）による第一のフィルムＦ１  の挟持が解除され、フィルム移動手段３３はフィルム待機位置に戻ることとなる。その際、第一のフィルムＦ１  が搬送ローラ部１１に挟持されたか否かは、搬送ローラ部１１あるいは第一のセンサ部１２を用いて（もしくはこれらの両方を用いて）判断される。すなわち、この判断において、フィルム移動手段３３における挟持を解除する旨の信号（以下、「挟持解除信号」という。）がフィルム移動手段３３に送られ、この信号に基づいて、フィルム移動手段３３が、フィルム待機位置に回動することとなる。
フィルム移動手段３３がフィルム待機位置に戻れば、再度、フィルム挟持部３２には他のフィルムの挟持が可能となる。すなわち、次の処理に用いるフィルムを予めセットすることが可能となる。そして、第一のフィルムＦ１  の処理を行いつつ（第一のフィルムＦ１  を搬送ローラ部１１を用いて搬送しつつ）、次のフィルム（第二のフィルムＦ２  ）のセットを行った状態（第二のフィルムＦ２  をフィルム挟持部３２で挟持している状態）を示しているのが、図５（ハ）である。
【００３４】
図５（ハ）は、第一のフィルムＦ１  の処理を行いつつ第二のフィルムＦ２  がフィルム待機位置にセットされた状態を示している。図５（ハ）の状態においては、フィルムマスク１０内には処理中の第一のフィルムＦ１  があることが第一のセンサ部１２で検知されているので、第一のセンサ部１２からフィルム移動手段３３に対して、供給可能信号が送られることはない。したがって、この第一のフィルムＦ１  に対する処理がある程度まで進まなければ、第一のセンサ部１２から、供給可能信号は送られてくることはない。具体的には、第一のフィルムＦ１  が、次に送られてくるフィルム（第二のフィルムＦ２  ）と干渉しない位置に達したときに、第一のセンサ部１２からフィルム移動手段３３に対して供給可能信号が送られる。よって、第一のフィルムＦ１  に対する処理が所定部分に達するまで（あるいは次のフィルムの処理が開始可能となるまで）、第二のフィルムＦ２  は待機状態となる。そして、第一のフィルムＦ１  についての所定の処理が終了しつつある状態を示しているのが、図５（ニ）である。
【００３５】
図５（ニ）は、第一のフィルムＦ１  の処理が終了しつつある状態を示している。図５（ニ）によれば、第一のフィルムＦ１  の後端は、すでに第一のセンサ部１２を通過している。したがって、この後、どの程度の時間が経過すれば次の処理（次のフィルムに対する処理）が可能であるのかは、第一のセンサ部１２で検知した時間、あるいは他の検知手段（図示省略）による検知信号に基づいて判断することが可能である。そして、この第一のフィルムＦ１  の処理が終了すれば、それはすなわち、処理開始状態である図５（イ）の状態となることとなる。
【００３６】
図５（イ）に示すように（厳密にはフィルムの符号が異なるが）、第二のフィルムＦ２  がフィルム待機位置にある状態においては、第一のセンサ部１２からの供給可能信号と、第二のセンサ部３５からの挟持信号とが、フィルム移動手段３３に送られることとなる。したがって、この後は、上述した図５（ロ）以下の処理を繰り返し行うことによって（図５（イ）〜図５（ニ）を繰り返し行うことによって）、複数のフィルムに関する処理（フィルム供給処理）が行われることとなる。
【００３７】
以上説明したように、本実施形態においては、一のフィルムが搬送ローラ１１で挟持搬送される状態となれば、本体部３０は待機状態となるので、一のフィルムの処理中の手の空いた時間に、本体部３０およびフィルム保持手段４０を用いて、他のフィルムのセットを行うことが可能となる（図５（ハ）参照）。すなわち、本実施形態においては、一のフィルムの処理が開始されれば、すぐに他の（次の）フィルムのセットが可能となる。また、一のフィルムが処理中であっても、他のフィルムのセットが可能となる。
【００３８】
したがって、本実施形態によれば、処理中のフィルムに対する作業等を行いながら、次のフィルムが、フィルムマスク内に自動的に供給搬送され始めるので（すなわち、セットしておいた他のフィルムが一のフィルムの処理終了後に自動的に供給されるので）、フィルムをセットする際の時間のロスを無くすことが可能となり、写真処理装置を効率よく稼働させることができる。
また、本実施形態に係るフィルム供給装置は、第二の従来技術のように複雑な構造を有さず、比較的簡単に構成されているので、広いスペース等を必要とせず、比較的安価に実現することができる。
すなわち、本実施形態によれば、一のフィルムが処理中のときに次のフィルムが待機状態で保持され、一のフィルムに対する処理が終了した後には自動的に次のフィルムの処理が開始されるフィルム供給装置を、比較的簡単な構成で実現することが可能となる。
【００３９】
なお、本実施形態においては、フィルム供給装置の具体的な使用箇所は特に説明しなかったが、このフィルム供給装置の使用箇所は何れかの箇所に特定されるものではない。したがって、例えば、スキャニング装置にフィルムを供給する際に用いてもよく、またあるいは露光装置にフィルムを供給する際に用いてもよい。
【００４０】
また、本実施形態においては、フィルム保持手段４０が予め傾けて設けられた場合について説明したが、本発明はこの構成に限定されるものではなく、例えば、フィルム移動手段３３と連動して、フィルムＦを移動させる際に、フィルム保持手段が所定の方向に（フィルムＦをフィルム供給ローラ部５０に送る方向に）、傾くように構成されていてもよい。または、フィルム保持手段に何らかの挟持手段を設けて、フィルムＦを待機させている状態のときにはフィルムＦを挟んで保持し、フィルムＦを供給する状態のときには、フィルム移動手段３３と連動してフィルムＦを離し、フィルムＦがフィルム供給ローラ部５０に送られるように構成してもよい。
【００４１】
また、本実施形態においては、フィルム保持手段４０がガイドローラ４１と掛止部４２とから成る場合について説明したが、本発明はこの構成に限定されるものではない。したがって、例えば、掛止部４２等を特に設けずに、ガイドローラ４１の端部の形状を変更等して（端部につば部等を設けて）、フィルム保持手段としてもよい。
【００４２】
また、本実施形態においては、フィルム保持手段４０からフィルム供給ローラ部５０に対するフィルムＦの移動は自由落下に任せ、フィルム保持手段４０とフィルム供給ローラ部５０との間には特にガイド部等設けない場合について説明したが、本発明はこの構成に限定されるものではない。したがって、例えば、フィルム保持手段４０とフィルム供給ローラ部５０との間に、これらを連結するような形でガイド部を設けて、このガイド部を介することにより、フィルムの移動をよりスムーズに行えるように構成してもよい。
【００４３】
図６は、本発明の他の実施形態に係るフィルム供給装置を構成するフィルム保持供給機構の概略斜視図を示したものである。図６のフィルム供給装置も、先述した実施形態に係るフィルム供給装置と同様に、フィルム待機位置と、フィルム供給位置との二つの箇所に、フィルムを設定できるように構成されている。
【００４４】
図６に示した本実施形態に係るフィルム供給装置は、図１〜図５を用いて説明した実施形態と同様に、フィルムマスク（図示省略）と、フィルム保持供給機構６０等とを用いて構成されている。
【００４５】
図６に示したフィルム保持供給機構６０は、図１〜図５にて説明したフィルム保持手段と同様の機能を有するフック部６１と、フィルム移動手段等としての機能を有する切換ガイド部６２等とを用いて構成されている。また、他の構成要素として、このフィルム保持供給機構６０は、フィルム待機位置にてフィルムを保持等する開閉ガイド部６３と、フック部６１、切換ガイド部６２および開閉ガイド部６３等を作動させるカム部６４およびロッド部６５と、フィルム供給位置にてフィルムを支持するフィルム供給ローラ部６６と、フィルム供給位置にてフィルムを供給する際のフィルム搬送路６７等とを有している。さらに、本実施形態においては、フィルム待機位置にてフィルムの前端部側を保持するフィルム保持部として、切換ガイド部６２と開閉ガイド部６３等とが用いられる。
【００４６】
フック部６１は、フィルムを引掛けて保持する保持部６１ａと、保持部６１ａに保持されたフィルムの側面をガイドする側面ガイド部６１ｂと、樹脂等にて一体的に形成された保持部６１ａおよび側面ガイド部６１ｂが一端に固着されたシャフト部６１ｃと、このシャフト部６１ｃの他端に固着されたカム接触部６１ｄ等とを用いて構成されている。ここで、側面ガイド部６１ｂを有する側と反対側に位置する保持部６１ａの端部は、保持部６１ａの中央部分よりもその直径が大であるように形成されている。こうすることにより、保持部６１ａにフィルムを引掛けた際のフィルム落下を防止することができる。
【００４７】
切換ガイド部６２は、ロッド部回転軸６８にてロッド部６５と連結されており、ロッド部回転軸６８を中心として、ロッド部６５の動きに応じて回動すべく構成されている。この切換ガイド部６２は、ロッド部回転軸６８にてロッド部６５と連結された切換ガイド本体部と、フィルムのパーフォレーション部に接触すべく設けられたローラ部とを用いて構成されている。
また、開閉ガイド部６３は、左右一対の部材にて構成されており、切換ガイド部６２の下方向の動きに応じて左右外方向に開き、切換ガイド部６２の上方向の動きに応じて内方向に閉じるべく構成されている。すなわち、開閉ガイド部６３は、スプリング等の付勢手段を用いて、左右一対の部材が内方向に付勢されるべく構成されている。
【００４８】
カム部６４は、所定間隔の切り込みが形成されたカム本体部６４ａと、このカム本体部６４ａの所定箇所に設けられた突起部６４ｂとを用いて構成されている。そして、このカム部６４（を構成するカム本体部６４ａ）は、カム部回転軸６９にて支持されており、このカム部回転軸６９を中心にして、矢印Ｃ方向に回転可能であるべく構成されている。
【００４９】
次に、以上のように構成されたフィルム保持供給機構６０の作動状態を、図７〜図９を用いて説明する。図７〜図９は、フィルム保持供給機構６０の各作動状態の概略図を示したものである。具体的には、各図（Ａ）は、図６に示されたフィルム保持供給機構を矢印Ａ方向から見た場合の（いわゆる側面から見た場合の）概略図を示したものであり、図（Ｂ）は、図６に示されたフィルム保持供給機構を矢印Ｂ方向から見た場合の（いわゆる正面から見た場合の）概略図を示したものである。
【００５０】
図７は、本実施形態に係るフィルム保持供給機構６０において、フィルム供給位置に第一のフィルムＦａを配置させ、フィルム待機位置に第二のフィルムＦｂを配置させた状態を示したものである。すなわち、図７は、第一のフィルムＦａがフィルム搬送路６７上を搬送され、第二のフィルムＦｂが、フック部６１、切換ガイド部６２および開閉ガイド部６３等を用いて保持されている状態を示したものである。
【００５１】
ここで、第一のフィルムＦａは、フィルムマスク（図示省略）等に設けられた駆動手段等を用いて、フィルム搬送路６７上を適宜搬送供給されている。そして、第二のフィルムＦｂは、フック部６１等を用いて、第一のフィルムＦａに全く接することなく、フィルム待機位置にて保持されている。
【００５２】
第二のフィルムＦｂの前方側端部（供給方向側端部）は、切換ガイド部６２（を構成するローラ部６２ｂ）と開閉ガイド部６３との間で挟持されている。ここで、開閉ガイド部６３は、図７（Ｂ）の矢印Ｄ方向に付勢されているので、第二のフィルムＦｂは、フィルム搬送路６７側に落下等することなく、ローラ部６２ｂと開閉ガイド部６３との間で効果的に挟持して保持されることとなる。また、この挟持の際には、第二のフィルムＦｂのパーフォレーション部がローラ部６２ｂおよび開閉ガイド部６３に接触することとなるので、第二のフィルムＦｂ上に形成された画像に傷等をつけるおそれはない。
また、第二のフィルムＦｂの後端側は、フック部６１の保持部６１ａに引掛けて保持されている。
【００５３】
さらに、本実施形態に係るフィルム保持供給機構６０において、カム部６４は矢印Ｃ（図７（Ａ）参照）の方向に回転すべく構成されており、このカム部６４の回転によって、後述すべく、フック部６１および切換ガイド部６２等が作動することとなる。なお、図７（Ａ）にて実線で示された突起部６４ｂが仮想線（二点鎖線）で示された突起部６４ｂの位置にくるまでは、突起部６４ｂも、カム本体部６４ａに形成された切り欠き部６４ｃも、他の要素に干渉しないので、この範囲内のカム部６４の回転は、他の要素の動きには特に寄与しないこととなる。
【００５４】
図７に示すように、フィルム待機位置に第二のフィルムＦｂを保持する状態は、第一のフィルムＦａが適当な位置に搬送されるまで維持され、第一のフィルムＦａが適当な位置にまで搬送された後に、次いで、第二のフィルムＦｂをフィルム待機位置からフィルム供給位置に移動させるための処理が行われる。
【００５５】
本実施形態に係るフィルム保持供給機構６０は、第一のフィルムＦａが適当な位置にまで送られれば、その旨の信号がセンサおよび制御部等を介してカム部６４の駆動手段に伝えられ、カム部回転軸６９を中心としてカム部６４の回転駆動が開始されるべく構成されている。
【００５６】
図８は、本実施形態に係るフィルム保持供給機構６０において、フィルム供給位置での第一のフィルムＦａの所定位置までの搬送が終了し、フィルム待機位置に保持されていた第二のフィルムＦｂをフィルム供給位置に移動させようとしている状態を示したものである。すなわち、図８は、第二のフィルムＦｂをフィルム供給位置に移動させるべく、カム部６４を矢印Ｃ方向に回転されて、突起部６４ｂとロッド部６５とを接触させた状態を示したものである。また、本実施形態においては、突起部６４ｂとロッド部６５とが接触するタイミングのときに、フック部６１を成すカム接触部６１ｄがカム本体部６４ａに形成された切り欠き部６４ｃに入り込みはじめるように、各要素が構成されている。
【００５７】
図８に示されたフィルム保持供給機構６０によれば、カム部回転軸６９を中心にしてカム部６４を矢印Ｃの方向に回転させると、図８（Ａ）に示すべく、突起部６４ｂとロッド部６５とが接触する。すなわち、突起部６４ｂの矢印Ｃ方向の回転によりロッド部６５が押され、ロッド部６５およびこれに連結された切換ガイド部６２（を成す本体部６２ａ）が、ロッド部回転軸６８を中心として、矢印Ｈ（図８（Ａ）参照）方向に回動することとなる。
【００５８】
この際の切換ガイド部６２の動きは、図８（Ｂ）においては、下方向（矢印Ｅ方向）の動きとして表れることとなる。そして、切換ガイド部６２の矢印Ｅ方向の動きによって（すなわち、切換ガイド部６２に下方向に押されることによって）、開閉ガイド部６３の左右の部材が、左右外方向（矢印Ｇ方向）に開きはじめる。また、この切換ガイド部６２の動きによって、第二のフィルムＦｂも下方向に移動しはじめる。この際、切換ガイド部６２のローラ部６２ｂが、第二のフィルムＦｂのパーフォレーション部を押すように作動する。
【００５９】
また、上述した突起部６４ｂとロッド部６５との接触と時期を同じくして、カム本体部６４ａに形成された切り欠き部６４ｃに、フック部６１を成すカム接触部６１ｄが入りはじめる。すなわち、カム接触部６１ｄとカム本体部６４ａとの接触状態が変化していく。
【００６０】
シャフト部６１ｃの一端には保持部６１ａおよび側面ガイド部６１ｂが設けられているため、本来ならば、これらの重みでシャフト６１ｃおよび保持部６１ａ等は下方向に垂れ下がった状態となる。しかし、本実施形態に係るフィルム保持供給機構によれば、図６および図７に示すように、カム接触部６１ｄとカム本体部６４ａとの接触により、保持部６１ａは、フィルムを維持し得る角度（地面と略平行）に維持されることとなる。
【００６１】
そして、図８によれば、上述したように、カム接触部６１ｄとカム本体部６４ａとの接触状態が変化していくため（カム接触部６１ｄが切り欠き部６４ｃに入りはじめるため）、保持部６１ａ等の重みで、シャフト部６１ｃが図８（Ｂ）の矢印Ｋ方向に回転しはじめて、第二のフィルムＦｂが保持部６１ａから離脱しはじめることとなる。
【００６２】
カム部回転軸６９を中心として、さらにカム部６４を矢印Ｃの方向に回転させた状態を示しているのが図９である。
【００６３】
図９は、本実施形態に係るフィルム保持供給機構６０において、フィルム待機位置に保持されていた第二のフィルムＦｂをフィルム供給位置に移動された状態を示したものである。
【００６４】
図９に示されたフィルム保持供給機構６０は、カム部回転軸６９を中心にして、図８に示した状態から、さらにカム部６４を矢印Ｃの方向に回転させた状態を示したものである。このようにしてカム部６４を回転させると、突起部６４ｂによってさらにロッド部６５が押され、ロッド部６５およびこれに連結された切換ガイド部６２が、ロッド部回転軸６８を中心として、図８の状態よりもさらに矢印Ｈの方向に回動することとなる。
【００６５】
この際の切換ガイド部６２の動きは、図９（Ｂ）においては、下方向（矢印Ｅ方向）の動きとして表れることとなる。そして、切換ガイド部６２の矢印Ｅ方向の動きによって（切換ガイド部６２に下方向に押されることによって）、開閉ガイド部６３の左右の部材が、図８（Ｂ）の状態からさらに左右外方向（矢印Ｇ方向）に開かれる。また、この切換ガイド部６２の動きによって、第二のフィルムＦｂもさらに下方向に移動させられ、図９の状態においては、第二のフィルムＦｂは、切換ガイド部６２（を成すローラ部６２ｂ）と、フィルム搬送路６７に設けられた駆動ローラ７０との間で挟持されることとなる。ここで、ローラ部６２ｂは、第二のフィルムＦｂのパーフォレーション部と接している。
【００６６】
また、上述したように、カム部６４が図８の状態からさらに矢印Ｃ方向に回転することにより、カム接触部６１ｄは、カム本体部６４ａに形成された切り欠き部６４ｃに完全に入り込むこととなる。このような状態となると、シャフト部６１ｃの他端部に固着されたカム接触部６１ｄは、どの要素にも接触しない状態となるため、フック部６１を成すシャフト部６１ｃ等は、図９に示すべく、保持部６１ａ等の重みで回転することとなる。そして、保持部６１ａ等は下方向に垂れ下がり、保持部６１ａではフィルムを保持できない状態となる。換言すれば、保持部６１ａから第二のフィルムＦｂを容易に離脱させ得る状態とすることができる。
【００６７】
すなわち、本実施形態に係るフィルム供給保持機構６０においては、セットされたフィルムがフィルム待機位置からフィルム供給位置に移動するのとリンクして、フック部６１が回転する（フィルムを落とすべく９０゜回転する。）。したがって、本実施形態に係るフィルム保持供給機構６０によれば、図９に示すように、カム部６４の動きに応じて、切換ガイド部６２およびフック部６１等が作動することによって、容易に、第二のフィルムＦｂを、フィルム搬送路６７上に移動させることができる。つまり、第二のフィルムＦｂを自動的に簡単にフィルム待機位置からフィルム供給位置に移動させ得ることができる。
【００６８】
図９において、本実施形態によれば、第二のフィルムＦｂをローラ部６２ｂと駆動ローラ７０とで挟持した状態で、駆動ローラ７０をフィルム供給方向（図９の右側方向）に回転させる。こうすることによって、第二のフィルムＦｂがフィルム保持供給機構から、フィルムマスク（図示省略）に供給される。この駆動ローラ７０を用いた搬送状態は、第二のフィルムＦｂがフィルムマスク内の搬送ローラ部（図示省略）で挟持されるまで行われる。第二のフィルムＦｂがこの搬送ローラ部で挟持されれば、後は、その駆動力によって、第二のフィルムＦｂは、滞り無く装置内に供給されることとなる。
【００６９】
したがって、第二のフィルムＦｂがフィルムマスク内の搬送ローラ部に挟持された後は、切換ガイド部６２と駆動ローラ７０とで第二のフィルムＦｂを挟持させておく必要はないので、切換ガイド部６２はフィルム待機位置に戻すこととなる。
【００７０】
具体的には、図９の状態から、カム部回転軸６９を中心として、さらにカム部６４を矢印Ｃの方向に回転させる。
【００７１】
図９の状態から、カム部６４を矢印Ｃ方向に回転させれば、突起部６４ｂはロッド部６５から離れる方向に移動し、ロッド部６５は図９（Ａ）の矢印Ｈの反対方向に移動する（ロッド部６５には、そもそもロッド部回転軸６８を中心として矢印Ｈの反対方向の付勢力が作用しているからである。）。そして、ロッド部回転軸６８を中心としたロッド部６５の矢印Ｈ反対方向の回動によって、切換ガイド部６２が駆動ローラ７０から離れて、上方向に移動することとなる。また、切換ガイド部６２の上方向への移動に伴い、開閉ガイド部６３についてその左右の部材が内側に閉じる方向（図７（Ｂ）の矢印Ｄ参照）に作動する。したがって、カム部６４の回転によって、ロッド部６５、切換ガイド部６２および開閉ガイド部６３は、図７の状態に戻ることとなる。
【００７２】
また、フック部６１についても、図９の状態から、カム部６４を矢印Ｃ方向に回転させることによって、カム接触部６１ｄが再度カム本体部６４ａと接触状態となる。したがって、ロッド部６５、切換ガイド部６２および開閉ガイド部６３と同様に、フック部６１も、図７の状態に戻ることとなる。
【００７３】
すなわち、本実施形態に係るフィルム保持供給機構によれば、フィルム搬送路６７上でフィルムの搬送を行っていても、カム部６４を回転させることによって、フック部６１および切換ガイド部６２等をフィルム待機位置の状態に復帰させることが可能となる。
【００７４】
したがって、本実施形態に係るフィルム保持供給機構によれば、一のフィルム（ここでは第二のフィルムＦｂ）を搬送処理中であっても、フィルム待機位置に復帰したフック部６１および切換ガイド部６２等を用いて、他のフィルムをフィルム待機位置に設定することが可能となる（設定方法等は図７の説明参照）。つまり、他のフィルムを設定した状態は図７の状態となる（図７における第一のフィルムＦａが第二のフィルムＦｂとなり、第二のフィルムＦｂが他のフィルムとなる。）。
【００７５】
以上説明したように、本実施形態においても、図１〜図５を用いて説明した実施形態と同様に、一のフィルムがフィルムマスク内の搬送ローラで搬送される状態となれば、フィルム保持供給機構６０はフィルム待機状態となるので、一のフィルムの処理中の手の空いた時間に、フック部６１、切換ガイド部６２および開閉ガイド部６３等を用いて、他のフィルムのセットを行うことが可能となる。すなわち、本実施形態においては、一のフィルムの処理が開始されれば、すぐに他の（次の）フィルムのセットが可能となり、また、一のフィルムが処理中であっても、他のフィルムのセットが可能となる。さらに、このセットの際および各フィルムの処理中においても、一のフィルムと他のフィルムとが接触することはない。
【００７６】
したがって、本実施形態によれば、処理中のフィルムに対する作業等を行いながら、次のフィルムが、フィルムマスク内に自動的に供給搬送され始めるので（すなわち、セットしておいた他のフィルムが一のフィルムの処理終了後に自動的に供給されるので）、フィルムをセットする際の時間のロスを無くすことが可能となり、写真処理装置を効率よく稼働させることができる。
また、本実施形態に係るフィルム供給装置は、第二の従来技術のように複雑な構造を有さず、比較的簡単に構成されているので、広いスペース等を必要とせず、比較的安価に実現することができる。さらに、第二の従来技術のように、フィルム同士が接触することもないのでフィルムに傷がつかず、また重ねてセットしているわけでもないので、一のフィルムが処理中であっても、他のフィルムをセットすることができる。
すなわち、本実施形態によれば、一のフィルムが処理中のときに他のフィルムが待機状態で保持され、一のフィルムに対する処理が終了した後には自動的に他のフィルムの処理が開始され、さらに、その後、他のフィルムの処理中に次のフィルムの準備を行うことが可能であるフィルム供給装置を、比較的簡単な構成で実現することが可能となる。
【００７７】
なお、本実施形態においては、フィルム供給装置の具体的な使用箇所は特に説明しなかったが、このフィルム供給装置の使用箇所は何れかの箇所に特定されるものではない。したがって、例えば、スキャニング装置にフィルムを供給する際に用いてもよく、またあるいは露光装置にフィルムを供給する際に用いてもよい。
【００７８】
【発明の効果】
以上説明したように本発明によれば、一のフィルムが処理中のときに次のフィルムが待機状態で保持され、一のフィルムに対する処理が終了した後には自動的に次のフィルムの処理が開始されるフィルム供給装置を得ることができる。
また、本発明によれば、フィルム待機位置を一ヶ所とすることが可能となるため、作業が単純化でき、オペレータの作業性を向上させることが可能となる。
さらに、従来技術と比較すれば、フィルムをセットするための新たなレーン等を設ける必要がないので、装置自身（フィルム保持供給機構、延いてはフィルム供給装置）の小型化を実現することが可能となる。
また、本発明においては、フィルム待機位置の略直下に前記フィルム供給位置が存在すべく構成されている。したがって、比較的狭いスペースにて装置を実現可能であると共に、簡単な機構にて（前記フィルム移動手段および前記切換ガイド部の上下方向の機構等にて）、前記一のフィルムを前記フィルム待機位置から前記フィルム供給位置に移動させることが可能となる。
【図面の簡単な説明】
【図１】本発明の実施形態に係るフィルム供給装置を構成するフィルム保持供給機構の概略斜視図
【図２】本発明の実施形態に係るフィルム供給装置を構成するフィルム移動手段がフィルム待機位置にある状態を示した概略断面図
【図３】本発明の実施形態に係るフィルム供給装置を構成するフィルム移動手段がフィルム供給位置にある状態を示した概略断面図
【図４】図１の矢印ＩＶ方向から見たフィルム保持手段の側面図
【図５】本発明の実施形態に係るフィルム供給装置の作動状態を示した断面図
【図６】本発明の他の実施形態に係るフィルム供給装置を構成するフィルム保持供給機構の概略斜視図
【図７】図６に示されたフィルム保持供給機構の作動状態の概略図
【図８】図６に示されたフィルム保持供給機構の作動状態の概略図
【図９】図６に示されたフィルム保持供給機構の作動状態の概略図
【符号の説明】
１０…フィルムマスク、１１…搬送ローラ部、１１ａ…上部ローラ、１１ｂ…下部ローラ、１２…センサ部（第一のセンサ部）、２０…フィルム保持供給機構、３０…フィルム保持供給機構本体部（本体部）、３１…本体ケーシング、３２…フィルム挟持部、３３…フィルム移動手段、３３ａ…移動手段本体部、３３ｂ…ローラ部、３３ｃ…軸、３４…駆動ローラ、３５…センサ部（第二のセンサ部）、３６…フィルム搬送路、３７…回動軸、４０…フィルム保持手段、４１…ガイドローラ、４２…掛止部、５０…フィルム供給ローラ部
６０…フィルム保持供給機構、６１…フック部、６１ａ…保持部、６１ｂ…側面ガイド部、６１ｃ…シャフト部、６１ｄ…カム接触部、６２…切換ガイド部、６２ａ…切換ガイド本体部、６２ｂ…ローラ部、６３…開閉ガイド部、６４…カム部、６４ａ…カム本体部、６４ｂ…突起部、６４ｃ…切り欠き部、６５…ロッド部、６６…フィルム供給ローラ部、６７…フィルム搬送路、６８…ロッド部回転軸、６９…カム部回転軸、７０…駆動ローラ
【図１】
0003611186.tif 000002
【図２】
0003611186.tif 000003
【図３】
0003611186.tif 000004
【図４】
0003611186.tif 000005
【図５】
0003611186.tif 000006
【図６】
0003611186.tif 000007
【図７】
0003611186.tif 000008
【図８】
0003611186.tif 000009
【図９】
0003611186.tif 000010